(57)【要約】【課題】読み取った画像データをファイル名の設定されたデータファイルに組み込ませる際に、元のデータファイルの上書きを防止することのできる画像読取装置を提供する。【解決手段】読み取った画像データを、ファイル名の設定されたファイルデータに組み込ませて、所定の処理を行う画像読取装置１において、読み取った画像データを選択したファイルデータに組み込み編集した後に、同一のファイル名で上書き保存する際には、その保存を拒絶する上書禁止制御手段１０を備える。【選択図】図１
2006222752.tif 000002
【特許請求の範囲】
【請求項１】
読み取った画像データを、ファイル名の設定されたファイルデータに組み込ませて、所定の処理を行う画像読取装置において、
読み取った画像データを、選択されたファイルデータに組み込んで編集した後に、該ファイルと同一のファイル名で上書き保存する際には、その保存を拒絶する上書禁止制御手段を備えたことを特徴とする画像読取装置。
【請求項２】
請求項１において、
上記上書禁止制御手段は、上記保存を拒絶する際には、更に所定の警告をなす機能を備えている画像読取装置。
【請求項３】
請求項１または請求項２において、
上記上書禁止制御手段は、読み取った画像データを、選択したファイルデータに組み込んで編集した後は、異なるファイル名で保存あるいは、同一のファイル名で異なるディレクトリに保存する機能を備えている画像読取装置。
【発明の詳細な説明】
【技術分野】
【０００１】
本発明は、画像データを読み取り、ファイル名の設定されたファイルデータに組み込み編集した後、ファクシミリ送信などの所定の処理を行う画像読取装置の改良に関する。
【背景技術】
【０００２】
従来より、画像データを読み取り、ファイル名の設定されたファイルデータに組み込み編集した後、ファクシミリ送信などの所定の処理を行う画像読取装置が存在する。
【０００３】
このような画像読取装置では、予めファイルデータを格納しておく複数のディレクトリを有しており、それぞれのディレクトリ内のファイルデータを指定するとともに、格納先のディレクトリを指定した状態で画像データの読み取りを行えば、指定されたファイルデータに読み取った画像データを組み込んで指定されたディレクトリに格納した後にファクシミリ送信などの所定の処理を行う。
【特許文献１】特開２００２−２０９０７３号公報
【発明の開示】
【発明が解決しようとする課題】
【０００４】
しかしながら、このような従来の装置では、以下の問題があった。これを図５とともに説明する。
【０００５】
すなわち、ディレクトリＤ１，Ｄ２が存在し、それぞれのディレクトリＤ１，Ｄ２にはファイル名をｓ０，ｓ１とするファイルデータＡ，Ｂが格納されているとする。
【０００６】
このような状態で、ディレクトリＤ１内のデータファイルＡを指定して、画像データＣを読み取って組み込ませる際、組み込ませたデータファイル名を、元のデータファイル名ｓ０にしてしまうと、組み込んだデータファイルの格納先としてディレクトリＤ１を指定しているような状態では、ディレクトリＤ１内で、画像データＡを組み込ませたデータファイルＡ＋Ｃがファイル名ｓ０で上書き保存されてしまう。
【０００７】
そうした場合、ファイル名ｓ０として上書き保存されたデータファイルは、元のデータファイルＡとは内容が異なったものとなり、元の内容には戻すことができない。
【０００８】
本発明は、このような問題を解決するために提案され、読み取った画像データをファイル名の設定されたデータファイルに組み込ませる際に、元のデータファイルの上書きを防止することのできる画像読取装置を提供することを目的とする。
【課題を解決するための手段】
【０００９】
上記目的を達成するために、本発明の請求項１では、読み取った画像データを、選択されたファイルデータに組み込んで編集した後に、該ファイルと同一のファイル名で上書き保存する際には、その保存を拒絶する上書禁止制御手段を備えたことを特徴とする。
【００１０】
ここに、読み取った画像データを選択したファイルデータに組み込んだ組み込みファイルを、選択したファイルと同一ファイル名で上書き保存するとは、ファイル名を同一とし、同じディレクトリを指定して保存することをいう。
【００１１】
請求項２では、上書禁止制御手段は、保存を拒絶する際には、更に所定の警告をなす機能を備えている。
【００１２】
請求項３では、上書禁止制御手段は、読み取った画像データを、選択したファイルデータに組み込んで編集した後は、異なるファイル名で保存あるいは、同一のファイル名で異なるディレクトリに保存する機能を備えている。
【発明の効果】
【００１３】
請求項１、２によれば、読み取った画像データを選択したファイルデータに組み込み編集した後に、同一のファイル名で上書き保存する際には、その保存を拒絶するか、もしくは所定の警告をなすので、ユーザが組み込みファイルの格納先を元ファイルと同一フォルダを指定し、かつ、ファイル名として、元ファイルと同一名を指定しても、上書き保存されることが適切に防止できる。したがって、あまり知識を持たないユーザが上書き保存を選択したような場合でも、上書き保存することを禁止できるため、有益である。
【００１４】
請求項３によれば、読み取った画像データを組み込んだデータファイルは、異なるファイル名で保存されるか、同一のファイル名であっても異なるディレクトリに格納されるため、適切に上書き保存を防止できる。
【発明を実施するための最良の形態】
【００１５】
以下に、本発明の実施の形態について説明する。
【実施例１】
【００１６】
図１は、本発明の画像読取装置の要部構成の一例を示すブロック図である。この画像読取装置１は、以下の各部を制御し、上書禁止制御手段を構成する信号処理部１０と、セットされた原稿から画像データを読み取る読取部１１と、後述するデータファイルを格納した１または複数のディレクトリを有するデータファイルメモリ１２と、ＲＡＭ１３と、ＲＯＭ１４と、表示操作部１５と、パーソナルコンピュータやＬＡＮなどに接続するためのインタフェース１６とを備える。
【００１７】
データファイルメモリ１２は、図２に示すような構成をしている。つまり、複数のディレクトリＤ１・・・ＤＮを備えており、それぞれのディレクトリＤ１・・・ＤＮには、画像データが所定のファイル形式に変換され、データファイルＡ・・・Ｎとして格納されている。
【００１８】
ここに、データファイルＡ・・・Ｎとして格納されるデータファイルには、例えば、ファクシミリ送信の際にトップページに添付する送付状が挙げられ、画像読取装置１のデータファイルメモリ１２だけではなく、画像読取装置１に接続されるネットワーク上にあってもよい。
【００１９】
このような構成によれば、読取部１１に原稿をセットし、各ディレクトリＤ１・・・ＤＮ内のデータファイルＡ・・・Ｎを指定し、組み込みファイル名と組み込みファイルの格納先となるディレクトリを更に指定し、読み取り指示を行えば、読取部１１の原稿が読み取られて画像データに変換され、指定されたデータファイルと読み取り画像データと組み合わせ、組み込みファイルを指定されたファイル名で、指定されたディレクトリに格納してから、組み込みファイルをファクシミリ送信する基本動作をなす。
【００２０】
このような構成の画像読取装置１では、指定された組み込みファイル名が元ファイルのファイル名と同一であって、組み込みファイルの格納先が元ファイルと同一ディレクトリである場合には、元ファイルを上書き保存してしまうので、これを防止するため、以下の措置を講じている。
【００２１】
これについて、図３のフローチャートとともに説明する（１００〜１０９）。すなわち、組み込むべきデータファイルの存在するディレクトリ名、組み込むべきデータファイルＡ・・・Ｎの名称、組み込みファイルの格納先ディレクトリ名、組み込みファイル名を予め指定した後、原稿読み取り指示を行うと、格納先として指定されたディレクトリが指定されたデータファイルと同一ディレクトリであって、組み込みファイル名として指定されたファイル名がデータファイルと同一であれば、以降の処理を禁止したり、所定の警告をなす。
【００２２】
一方、ステップ１０４の要件に該当しない場合、すなわち、格納先として指定されたディレクトリがデータファイルと異なる場合、あるいは、組み込みファイル名として指定されたファイル名がデータファイル名と異なる場合には、原稿を読み取って、指定されたデータファイルに読み取り画像データを組み込み、組み込みファイルを、組み込みファイル名として指定されたファイル名で、格納先として指定されたディレクトリに格納し、ファクシミリ送信をする。
【００２３】
ここで、ステップ１０２，１０３の操作は必須操作ではない。つまり、これらの操作を省略しても、格納先として予めデフォルト設定されたディレクトリに対して、予めデフォルト設定されたデータファイル名にて、組み込みファイルが格納される。
【００２４】
なお、上記所定の警告の後、強制上書指示を受けた場合には、データファイルを上書き保存するようにしてもよい。
【００２５】
図４は、このような処理を模式的に示した図である。読み取り画像データＣをデータファイルＡに組み込んで送信することと仮定する。
【００２６】
組み込みファイルの格納先としてディレクトリＤ１が指定され、かつ、組み込みファイル名がｓ０と指定された場合には、組み込みファイルＡ＋ＣはディレクトリＤ１内でデータファイルＡに上書き保存されるから、これを禁止したり、警告する。
【００２７】
なお、禁止したり警告することの他、信号処理部１０は、指定されたディレクトリもしくはファイル名を適宜別のものに設定変更するようにしてもよい。
【００２８】
一方、格納先としてディレクトリＤ１以外（ここではディレクトリＤ２）が指定されている場合、あるいは、ファイル名としてデータファイルＡのファイル名以外（ここではファイル名ｓ１）が指定されている場合には、元のデータファイルＡはそのディレクトリＤ１内で上書き保存されることがないので、組み込みファイルＡ＋Ｃの保存を許可する。
【図面の簡単な説明】
【００２９】
【図１】本発明の画像読取装置の要部構成の一例を示すブロック図である。
【図２】データファイルメモリの構成の一例を示す図である。
【図３】画像読取装置の動作について説明するフローチャートである。
【図４】図３の動作を模式的に示す図である。
【図５】従来の画像読取装置の問題点を説明するための図である。
【符号の説明】
【００３０】
１  画像受信装置
１０  信号処理部
１２  データファイルメモリ
【図１】
2006222752.tif 000003
【図２】
2006222752.tif 000004
【図３】
2006222752.tif 000005
【図４】
2006222752.tif 000006
【図５】
2006222752.tif 000007